(57)【要約】【課題】  対向するＬＡＮスイッチのリンク状態を常時監視可能とし、対向するＬＡＮスイッチのどちらで障害を検知してリンクダウンが起きたかを特定することが可能なオートネゴシエーション監視システムを提供する。【解決手段】  スイッチ３はポート３１の受信側光断または光信号劣化を検知すると、ポート３１のリンクをダウンにし、オートネゴシエーションのコンフィギュレーションコードをＬＡＮ信号として出力する。中継伝送装置１はスイッチ３からのＬＡＮ信号を受信すると、その信号をオートネゴシエーション監視器１１に送る。オートネゴシエーション監視器１１は受信したＬＡＮ信号のコードの解析を行い、受信したＬＡＮ信号がオートネゴシエーションのコンフィギュレーションコードであることを検知すると、「スイッチ３にて障害を検知してリンクダウンが発生した」という警報を監視装置５へ通知する。【選択図】      図１                                                  
2005110069.tif 000002
【特許請求の範囲】
【請求項１】
中継伝送装置を介してＬＡＮ（Ｌｏｃａｌ  Ａｒｅａ  Ｎｅｔｗｏｒｋ）信号を伝送しかつ対向するスイッチ装置間において前記中継伝送装置及び前記対向するスイッチ装置を監視装置で監視するオートネゴシエーション監視システムであって、
前記対向するスイッチ装置間の接続手続きを行うためのオートネゴシエーションの所定コードを監視しかつどちらのスイッチ装置から送信された前記所定コードが先に到着したかを特定する手段と、その特定された内容を警報として前記監視装置に通知する手段とを前記中継伝送装置に有することを特徴とするオートネゴシエーション監視システム。
【請求項２】
前記対向するスイッチ装置は、受信側の光ファイバに障害が発生した時に該当ポートのリンクをダウンさせ、前記所定コードを出力することを特徴とする請求項１記載のオートネゴシエーション監視システム。
【請求項３】
前記中継伝送装置は、ＭＡＣ（Ｍｅｄｉａ  Ａｃｃｅｓｓ  Ｃｏｎｔｒｏｌ）層を終端せず、前記ＬＡＮ信号を中継伝送することを特徴とする請求項１または請求項２記載のオートネゴシエーション監視システム。
【請求項４】
対向するスイッチ装置間においてＬＡＮ（Ｌｏｃａｌ  Ａｒｅａ  Ｎｅｔｗｏｒｋ）信号を中継伝送し、前記対向するスイッチ装置とともに監視装置によって監視される中継伝送装置であって、
前記対向するスイッチ装置間の接続手続きを行うためのオートネゴシエーションの所定コードを監視しかつどちらのスイッチ装置から送信された前記所定コードが先に到着したかを特定する手段と、その特定された内容を警報として前記監視装置に通知する手段とを有することを特徴とする中継伝送装置。
【請求項５】
前記対向するスイッチ装置が、受信側の光ファイバに障害が発生した時に該当ポートのリンクをダウンさせ、前記所定コードを出力することを特徴とする請求項４記載の中継伝送装置。
【請求項６】
ＭＡＣ（Ｍｅｄｉａ  Ａｃｃｅｓｓ  Ｃｏｎｔｒｏｌ）層を終端せず、前記ＬＡＮ信号を中継伝送することを特徴とする請求項４または請求項５記載の中継伝送装置。
【請求項７】
中継伝送装置を介してＬＡＮ（Ｌｏｃａｌ  Ａｒｅａ  Ｎｅｔｗｏｒｋ）信号を伝送しかつ対向するスイッチ装置間において前記中継伝送装置及び前記対向するスイッチ装置を監視装置で監視するオートネゴシエーション監視方法であって、前記中継伝送装置側に、前記対向するスイッチ装置間の接続手続きを行うためのオートネゴシエーションの所定コードを監視しかつどちらのスイッチ装置から送信された前記所定コードが先に到着したかを特定する手順と、その特定された内容を警報として前記監視装置に通知する手順とを有することを特徴とするオートネゴシエーション監視方法。
【請求項８】
前記対向するスイッチ装置が、受信側の光ファイバに障害が発生した時に該当ポートのリンクをダウンさせ、前記所定コードを出力することを特徴とする請求項７記載のオートネゴシエーション監視方法。
【請求項９】
前記中継伝送装置が、ＭＡＣ（Ｍｅｄｉａ  Ａｃｃｅｓｓ  Ｃｏｎｔｒｏｌ）層を終端せず、前記ＬＡＮ信号を中継伝送することを特徴とする請求項７または請求項８記載のオートネゴシエーション監視方法。
【発明の詳細な説明】
【技術分野】
【０００１】
本発明はオートネゴシエーション監視システム、中継伝送装置及びそれに用いるオートネゴシエーション監視方法に関し、特にスイッチ装置間において中継伝送装置を介してＬＡＮ（Ｌｏｃａｌ  Ａｒｅａ  Ｎｅｔｗｏｒｋ）信号を伝送するネットワークにおける障害検出及び障害地点の特定に関する。
【背景技術】
【０００２】
従来、遠く離れた場所にあるイーサネット（Ｒ）（以下、ＬＡＮとする）スイッチ同士を接続して構成されるネットワークにおいては、ＬＡＮ信号の伝搬距離を伸ばすために、ＬＡＮスイッチ間に中継伝送装置を挿入することが一般的に行われている。また、中継伝送装置及びＬＡＮスイッチは、一般的に、常時、監視装置にて監視が行われ、障害が起きた場合にその障害検出及び障害地点の特定が可能となっている。
【０００３】
上記のような構成で、従来の中継伝送装置では、ＬＡＮスイッチの受信側の光ファイバに障害が起きた場合、その障害はＬＡＮスイッチのみで検知することができ、中継伝送装置では検知することができない。この場合、監視装置がＬＡＮスイッチ及び中継伝送装置を監視していれば問題とならないが、例えば、ＬＡＮスイッチ及び中継伝送装置の管理者が異なる、あるいは監視システムが異なるといった理由によって、ＬＡＮスイッチが監視装置の監視対象外にあった場合に問題となる。
【０００４】
すなわち、この場合、監視装置はＬＡＮスイッチの監視を行えないため、ＬＡＮスイッチの受信側の光ファイバの障害検出及び障害地点の特定ができず、障害検出、障害地点の特定、障害の復旧に時間がかかり、問題となる。
【０００５】
ＬＡＮスイッチ及び中継伝送装置の管理者が異なる場合というのは、例えば中継伝送装置が回線を貸し出す通信事業者の所有物、ＬＡＮスイッチが通信事業者の顧客の所有物といった場合である。
【０００６】
【特許文献１】特開２００３−１１０５８５号公報
【発明の開示】
【発明が解決しようとする課題】
【０００７】
上述した従来のネットワークでは、中継伝送装置にて一方のスイッチから送信されるＬＡＮ信号及び他方のスイッチから送信されるＬＡＮ信号を中継伝送する場合、その中継伝送装置が、スイッチの受信側、すなわち中継伝送装置の送信側の光ファイバに障害が起きた場合、中継伝送装置にてその障害を検出することができないという問題がある。
【０００８】
これは、中継伝送装置の送信側の光ファイバの障害時に、スイッチ側でのみ、その光ファイバの信号劣化あるいは光断を観測することが可能であり、中継伝送装置がその光ファイバの信号劣化、光断及びＬＡＮスイッチのリンク状態を観測することができないためである。
【０００９】
そこで、本発明の目的は上記の問題点を解消し、対向するＬＡＮスイッチのリンク状態を常時監視することができ、対向するＬＡＮスイッチのどちらで障害を検知してリンクダウンが起きたかを特定することができるオートネゴシエーション監視システム、中継伝送装置及びそれに用いるオートネゴシエーション監視方法を提供することにある。
【課題を解決するための手段】
【００１０】
本発明によるオートネゴシエーション監視システムは、中継伝送装置を介してＬＡＮ（Ｌｏｃａｌ  Ａｒｅａ  Ｎｅｔｗｏｒｋ）信号を伝送しかつ対向するスイッチ装置間において前記中継伝送装置及び前記対向するスイッチ装置を監視装置で監視するオートネゴシエーション監視システムであって、
前記対向するスイッチ装置間の接続手続きを行うためのオートネゴシエーションの所定コードを監視しかつどちらのスイッチ装置から送信された前記所定コードが先に到着したかを特定する手段と、その特定された内容を警報として前記監視装置に通知する手段とを前記中継伝送装置に備えている。
【００１１】
本発明による中継伝送装置は、対向するスイッチ装置間においてＬＡＮ（Ｌｏｃａｌ  Ａｒｅａ  Ｎｅｔｗｏｒｋ）信号を中継伝送し、前記対向するスイッチ装置とともに監視装置によって監視される中継伝送装置であって、
前記対向するスイッチ装置間の接続手続きを行うためのオートネゴシエーションの所定コードを監視しかつどちらのスイッチ装置から送信された前記所定コードが先に到着したかを特定する手段と、その特定された内容を警報として前記監視装置に通知する手段とを備えている。
【００１２】
本発明によるオートネゴシエーション監視方法は、中継伝送装置を介してＬＡＮ（Ｌｏｃａｌ  Ａｒｅａ  Ｎｅｔｗｏｒｋ）信号を伝送しかつ対向するスイッチ装置間において前記中継伝送装置及び前記対向するスイッチ装置を監視装置で監視するオートネゴシエーション監視方法であって、前記中継伝送装置側に、前記対向するスイッチ装置間の接続手続きを行うためのオートネゴシエーションの所定コードを監視しかつどちらのスイッチ装置から送信された前記所定コードが先に到着したかを特定する手順と、その特定された内容を警報として前記監視装置に通知する手順とを備えている。
【００１３】
すなわち、本発明のオートネゴシエーション監視システムは、ＭＡＣ（Ｍｅｄｉａ  Ａｃｃｅｓｓ  Ｃｏｎｔｒｏｌ）層を終端せずにイーサネット（Ｒ）［以下、ＬＡＮ（Ｌｏｃａｌ  Ａｒｅａ  Ｎｅｔｗｏｒｋ）とする］の信号を中継伝送する装置において対向するＬＡＮスイッチ（またはＭＡＣスイッチ）から出力されるオートネゴシエーションのコンフィギュレーションコードを監視する機能を具備させている。
【００１４】
障害が発生した場合、ＩＥＥＥ８０２．３「３．Ｍｅｄｉａ  ａｃｃｅｓｓ  ｃｏｎｔｒｏｌ  ｆｒａｍｅ  ｓｔｒｕｃｔｕｒｅ」（以下、文献１とする）、ＩＥＥＥ８０２．３「３６．Ｐｈｙｓｉｃａｌ  Ｃｏｄｉｎｇ  Ｓｕｂｌａｙｅｒ（ＰＣＳ）  ａｎｄ  Ｐｈｙｓｉｃａｌ  Ｍｅｄｉｕｍ  Ａｔｔａｃｈｍｅｎｔ（ＰＭＡ）  ｓｕｂｌａｙｅｒ，ｔｙｐｅ  １０００ＢＡＳＥ−Ｘ」（以下、文献２とする）で規定されているオートネゴシエーション機能を具備しているスイッチはその障害を検知すると、該当ポートのリンクをダウンにし、オートネゴシエーションのコンフィギュレーションコードを送信する。
【００１５】
ここで、１０００ＢＡＳＥ−Ｘのオートネゴシエーションでは、１０ＢＡＳＥ／１００ＢＡＳＥの自動切替機能としてのオートネゴシエーションで用いられるリンクテストパルスの代わりに、オートネゴシエーションのコンフィグレーションコード（／Ｃ／Ｏｒｄｅｒｅｄ  ｓｅｔ）を送信することで、互いに正常に接続されていることを認識している。
【００１６】
すなわち、１０００ＢＡＳＥ−Ｘのオートネゴシエーションは、上記の文献１，２に定義されており、２つのネットワーク機器間でデータの送受信を開始する前に、互いに動作可能なモードを送信し合い、２つのネットワーク機器各々で適切な動作モードを選択するための機能である。
【００１７】
１０００ＢＡＳＥ−Ｘのオートネゴシエーションでは、オートネゴシエーションのコンフィグレーションコード（／Ｃ／Ｏｒｄｅｒｅｄ  ｓｅｔ）を２つのネットワーク機器間で交換して実行され、オートネゴシエーションが完了すると、リンクがアップしてネットワーク機器間でのデータ送受信が可能となり、リンクがアップしている状態では、ネットワーク機器からコンフィグレーションコード（／Ｃ／Ｏｒｄｅｒｅｄ  ｓｅｔ）は送信されない。
【００１８】
本発明のオートネゴシエーション監視システムでは、上記の機構を利用し、中継伝送装置にてスイッチから送信されてくるＬＡＮ信号を覗き見てスイッチからのオートネゴシエーションのコンフィギュレーションコードを監視することで上記の課題を解決する。
【００１９】
より具体的に説明すると、本発明のオートネゴシエーション監視システムでは、一方のスイッチの受信側の光ファイバに障害が発生すると、一方のスイッチが上記の文献１，２の規定にしたがって該当ポートのリンクをダウンさせ、オートネゴシエーションのコンフィギュレーションコード（／Ｃ／Ｏｒｄｅｒｅｄ  ｓｅｔ）を送信する。
【００２０】
他方のスイッチは一方のスイッチから送信されたオートネゴシエーションのコンフィギュレーションコードを受信すると、受信ポートのリンクをダウンさせ、オートネゴシエーションのコンフィギュレーションコードを送信する。
【００２１】
中継伝送装置では一方のスイッチから送信されるＬＡＮ信号及び他方のスイッチから送信されるＬＡＮ信号の監視を行い、どちらのスイッチから送信されたオートネゴシエーションのコンフィギュレーションコードが先に到着したかを特定する。本発明のオートネゴシエーション監視システムでは、この特定によって、どちらのスイッチが障害を検知してポートのリンクをダウンにしたかを知ることが可能となる。
【００２２】
中継伝送装置は上記のどちらのスイッチから送信されたオートネゴシエーションのコンフィギュレーションコードが先に到着したかを監視装置へ警報として通知する。例えば、中継伝送装置は一方のスイッチからのオートネゴシエーションのコンフィギュレーションコードを先に受信すると、一方のスイッチが障害を検知してリンクをダウンにさせたと判断し、監視装置へ一方のスイッチが障害を検知してリンクをダウンにしたことを通知する。
【００２３】
以上のように、本発明のオートネゴシエーション監視システムでは、中継伝送装置にてスイッチから送信されるオートネゴシエーションのコンフィギュレーションコードを監視し、どちらのスイッチがオートネゴシエーションのコンフィギュレーションコードを先に送信してきたかを特定することで、どちらのスイッチにて障害を検知したかを知ることが可能となり、中継伝送装置の送信側の光ファイバの障害が起きた場合でも、中継伝送装置にてそれを検知することが可能となる。
【００２４】
したがって、本発明のオートネゴシエーション監視システムでは、中継伝送装置にてＬＡＮスイッチから送出されるオートネゴシエーションのコンフィギュレーションコードを監視することで、中継伝送装置にてＬＡＮスイッチのリンク状態及びどちらのＬＡＮスイッチから先にオートネゴシエーションのコンフィギュレーションコードが出力されたかを監視可能とし、中継伝送装置でＬＡＮスイッチの受信側の光ファイバの障害のような従来の中継伝送装置で検出できなかった障害が検出可能となる。
【００２５】
オートネゴシエーションのコンフィギュレーションコードを監視することで、ＬＡＮスイッチのリンク状態を監視可能な理由は、ＬＡＮスイッチがポートのリンクがアップしている状態で、ＬＡＮフレームの送信（／Ｄ／Ｃｏｄｅ  ｇｒｏｕｐ、／Ｓ／Ｏｒｄｅｒｅｄ  ｓｅｔ、／Ｔ／Ｏｒｄｅｒｅｄ  ｓｅｔの送信）、またはアイドルを示すコードの送信（／Ｉ／Ｏｒｄｅｒｅｄｓｅｔの送信）を行い、障害を検出すると、ポートのリンクのダウンを行い、オートネゴシエーションのコンフィギュレーションコード（／Ｃ／Ｏｒｄｅｒｅｄ  ｓｅｔ）を送信することが、上記の文献１，２にて規定されているからである。
【発明の効果】
【００２６】
本発明は、以下に述べるような構成及び動作とすることで、対向するＬＡＮスイッチのリンク状態を常時監視することができ、スイッチのどちらで障害を検知してリンクダウンが起きたかを特定することができるという効果が得られる。
【発明を実施するための最良の形態】
【００２７】
次に、本発明の実施例について図面を参照して説明する。図１は本発明の一実施例によるオートネゴシエーション監視システムの構成を示すブロック図である。図１において、本発明の一実施例によるオートネゴシエーション監視システムは中継伝送装置１，２と、スイッチ３，４と、監視装置５とから構成され、中継伝送装置１とスイッチ３とは光ファイバ１０１，１０２で接続され、中継伝送装置２とスイッチ４とは光ファイバ２０１，２０２で接続され、スイッチ３とスイッチ４とは中継伝送装置１，２を介して接続されている。
【００２８】
スイッチ３，４はそれぞれイーサネット（Ｒ）［以下、ＬＡＮ（Ｌｏｃａｌ  Ａｒｅａ  Ｎｅｔｗｏｒｋ）とする］スイッチ［または、ＭＡＣ（Ｍｅｄｉａ  Ａｃｃｅｓｓ  Ｃｏｎｔｒｏｌ）スイッチ］であり、上記の文献１，２にて規定されているフレームを転送する機能及びオートネゴシエーション機能と、ポート３１，４２とを備えている。
【００２９】
中継伝送装置１，２はそれぞれオートネゴシエーション監視器１１，２１と、ＬＡＮ信号中継器１２，２２とからなり、ＭＡＣ層を終端せずに、ＬＡＮ信号を中継伝送する。
【００３０】
スイッチ３のポート３１から出力されたＬＡＮ信号は、中継伝送装置１に入力され、中継伝送装置１に入力されたＬＡＮ信号はオートネゴシエーション監視器１１にてコードの解析が行われ、ＬＡＮ信号中継器１２にて中継伝送のための変換が行われて中継伝送装置２に送られる。中継伝送送装置２に入力された信号はＬＡＮ信号中継器２２にてＬＡＮ信号に戻され、オートネゴシエーション監視器２１にてコードの解析が行われ、スイッチ４へと送られる。
【００３１】
スイッチ４のポート４１から出力されたＬＡＮ信号は、中継伝送装置２に入力され、中継伝送装置２に入力されたＬＡＮ信号はオートネゴシエーション監視器２１にてコードの解析が行われ、ＬＡＮ信号中継器２２にて中継伝送のための変換が行われて中継伝送装置１に送られる。中継伝送送装置１に入力された信号はＬＡＮ信号中継器１２にてＬＡＮ信号に戻され、オートネゴシエーション監視器１１にてコードの解析が行われ、スイッチ３へと送られる。
【００３２】
ここで、ＬＡＮ信号中継器１２，２２はＬＡＮ信号を中継伝送できるものであれば、ＳＯＮＥＴ／ＳＤＨ（Ｓｙｎｃｈｒｏｎｏｕｓ  Ｏｐｔｉｃａｌ  ＮＥＴｗｏｒｋ／Ｓｙｎｃｈｒｏｎｏｕｓ  Ｄｉｇｉｔａｌ  Ｈｉｅｒａｒｃｈｙ）、ＷＤＭ（Ｗａｖｅｌｅｎｇｔｈ  Ｄｉｖｉｓｉｏｎ  Ｍｕｌｔｉｐｌｅｘｉｎｇ）等も適用可能であり、その方式は問わない。
【００３３】
図２は図１のオートネゴシエーション監視器１１の構成を示すブロック図である。図２において、オートネゴシーション監視器１１は入力した信号から上記の文献１，２にて定義されているコードを識別するコード識別器１１１と、出力する信号から上記の文献１，２にて定義されているコードを識別するコード識別器１１２と、警報器１１３とから構成されている。
【００３４】
コード識別器１１１は入力された信号のコードの解析を行い、オートネゴシエーションのコンフィギュレーションコード（／Ｃ／Ｏｒｄｅｒｅｄ  ｓｅｔ）を受信した場合に警報器１１３へ通知を行う。また、コード識別器１１１はアイドル状態を示すコード（／Ｉ／Ｏｒｄｅｒｅｄ  ｓｅｔ）、またはデータを示すコード（／Ｄ／Ｃｏｄｅ  ｇｒｏｕｐ、／Ｓ／Ｏｒｄｅｒｅｄ  ｓｅｔ、／Ｔ／Ｏｒｄｅｒｅｄ  ｓｅｔ）をある一定時間以上受信した場合、警報器１１３への警報の通知解除を行う。
【００３５】
コード識別器１１２は入力された信号のコードの解析を行い、オートネゴシエーションのコンフィギュレーションコード（／Ｃ／Ｏｒｄｅｒｅｄ  ｓｅｔ）を受信した場合、警報器１１３へ通知を行う。また、コード識別器１１２はアイドル状態を示すコード（／Ｉ／Ｏｒｄｅｒｅｄ  ｓｅｔ）、またはデータを示すコード（／Ｄ／Ｃｏｄｅ  ｇｒｏｕｐ、／Ｓ／Ｏｒｄｅｒｅｄ  ｓｅｔ、／Ｔ／Ｏｒｄｅｒｅｄ  ｓｅｔ）をある一定時間以上受信した場合、警報器１１３への警報の通知解除を行う。
【００３６】
警報器１１３はコード識別器１１１から通知を受けた場合、中継伝送装置１に対向しているスイッチ３で障害を検知してリンクダウンが起きたという警報を監視装置５へ通知する。また、警報器１１３はコード識別器１１２から通知を受けた場合、対向の中継伝送装置２に対向しているスイッチ４で障害を検知してリンクダウンが起きたという警報を監視装置５へ通知する。
【００３７】
但し、警報器１１３はコード識別器１１１及びコード識別器１１２の両方から通知を受けている場合、先に受けたほうの通知を優先する。すなわち、コード識別器１１１から通知を受けている状態で、コード識別器１１２から通知を受けた場合、及びコード識別器１１２から通知を受けている状態でコード識別器１１１から通知を受けた場合には何も行わない。
【００３８】
警報器１１３は監視装置５への警報通知の原因となったコード識別器１１１，１１２からの通知が解除されると、ある一定時間後に監視装置５への警報を解除する。また、監視装置５への警報通知の原因となったコード識別器からの通知が解除されてから、監視装置５への警報を解除するまでの時間は、警報器１１３がコード識別器から通知があったとしても監視装置５への警報の通知を行わない。
【００３９】
図３は図１のオートネゴシエーション監視器２１の構成を示すブロック図である。図３において、オートネゴシエーション監視器２１は図２のオートネゴシエーション監視器１１と同様の構成となっており、入力した信号から上記の文献１，２にて定義されているコードを識別するコード識別器２１１と、出力する信号から上記の文献１，２にて定義されているコードを識別するコード識別器２１２と、警報器２１３とから構成されている。
【００４０】
図４は本発明の一実施例によるオートネゴシエーション監視システムの動作を示すシーケンスチャートである。これら図１〜図４を参照して、本発明の一実施例によるオートネゴシエーション監視システムにおいて光ファイバ１０２に障害が発生した場合の動作について説明する。
【００４１】
スイッチ３は光ファイバ１０２に障害が発生したことを知ると（図４のａ１）、ポート３１の受信側光断または光信号劣化を検知し（図４のａ２）、ポート３１のリンクをダウンにし（図４のａ３）、オートネゴシエーションのコンフィギュレーションコードをＬＡＮ信号として出力する（図４のａ４）。
【００４２】
中継伝送装置１はスイッチ３からのＬＡＮ信号を受信すると、その信号をオートネゴシエーション監視器１１に送る。オートネゴシエーション監視器１１はそのＬＡＮ信号をコード識別器１１１及びＬＡＮ信号中継器１２に送る。
【００４３】
コード識別器１１１は受信したＬＡＮ信号のコードの解析を行い、受信したＬＡＮ信号がオートネゴシエーションのコンフィギュレーションコードであることを検知すると（図４のａ６）、警報器１１３へ通知を行う。警報器１１３はコード識別器１１１から通知を受けると、「スイッチ３にて障害を検知してリンクダウンが発生した」という警報を監視装置５へ通知する（図４のａ７）。
【００４４】
一方、ＬＡＮ信号中継器１２は送られてきたＬＡＮ信号を、中継伝送装置２へと中継伝送するのための変換を行い、その変換した中継伝送信号を中継伝送装置２へと送る（図４のａ５）。
【００４５】
中継伝送装置２では、中継伝送装置１から受信した信号をＬＡＮ信号中継器２２にてＬＡＮ信号に戻し、オートネゴシエーション監視器２１へと送る。オートネゴシエーション監視器２１は送られてきたＬＡＮ信号をコード識別器２１１及びスイッチ４へと送る（図４のａ８）。
【００４６】
コード識別器２１１は受信したＬＡＮ信号のコードの解析を行い、受信したＬＡＮ信号がオートネゴシエーションのコンフィギュレーションコードであることを検知すると（図４のａ９）、警報器２１３へ通知を行う。警報器２１３はコード識別器２１１から通知を受けると、「スイッチ３にて障害を検知してリンクダウンが発生した」という警報を監視装置５へ通知する（図４のａ１０）。
【００４７】
スイッチ４ではオートネゴシエーションのコンフィギュレーションコードを受信すると、ポート４１のリンクをダウンにし（図４のａ１１）、オートネゴシエーションのコンフィギュレーションコードをＬＡＮ信号として出力する（図４のａ１２）。
【００４８】
中継伝送装置２はスイッチ４からのＬＡＮ信号を受信すると、受信した信号をオートネゴシエーション監視器２１に送る。オートネゴシエーション監視器２１は送られてきたＬＡＮ信号をコード識別器２１２及びＬＡＮ信号中継器２２へと送る。コード識別器２１２は受信したＬＡＮ信号のコードの解析を行い、受信したＬＡＮ信号がオートネゴシエーションのコンフィギュレーションコードであることを検知すると（図４のａ１４）、警報器２１３へ通知を行う。警報器２１３はコード識別器２１２から通知を受けるが、すでにコード識別器２１１から通知を受けているため、何も行わない（図４のａ１５）。
【００４９】
一方、ＬＡＮ信号中継器２２は送られてきたＬＡＮ信号を、中継伝送装置１へと中継伝送するのための変換を行い、その変換した中継伝送信号を中継伝送装置１へと送る（図４のａ１３）。
【００５０】
中継伝送装置１では中継伝送装置２から受信した信号をＬＡＮ信号中継器１２にてＬＡＮ信号に戻し、オートネゴシエーション監視器１１へ送る。オートネゴシエーション監視器１１は送られてきたＬＡＮ信号をコード識別器１１２及びスイッチ３へと送る（図４のａ１６）。
【００５１】
コード識別器１１２は受信したＬＡＮ信号のコードの解析を行い、受信したＬＡＮ信号がオートネゴシエーションのコンフィギュレーションコードであることを検知すると（図４のａ１７）、警報器１１３へ通知を行う。警報器１１３はコード識別器１１２から通知を受けるが、すでにコード識別器１１１から通知を受けているため、何も行わない（図４のａ１８）。
【００５２】
上記のように、本実施例では、光ファイバ１０２に障害が発生すると、中継伝送装置１，２にてスイッチ３から送信されるオートネゴシエーションのコンフィギュレーションコードに基づいてその障害を検出し、監視装置５へ警報通知を行うことができる。
【００５３】
図５は本発明の一実施例によるオートネゴシエーション監視システムの動作を示すシーケンスチャートである。これら図１〜図３と図５とを参照して、本発明の一実施例によるオートネゴシエーション監視システムにおいて光ファイバ１０２の障害が回復した場合の動作について説明する。
【００５４】
本実施例では、光ファイバ１０２の障害が回復すると（図５のｂ１）、スイッチ３とスイッチ４との間でオートネゴシエーションが行われ（図５のｂ２）、スイッチ３，４のポート３１，４１はリンクアップする（図５のｂ３，ｂ４）。リンクアップすると、スイッチ３，４はアイドル状態を示すコード（／Ｉ／Ｏｒｄｅｒｅｄ  ｓｅｔ）またはデータを示すコード（／Ｄ／Ｃｏｄｅ  ｇｒｏｕｐ  、／Ｓ／Ｏｒｄｅｒｅｄ  ｓｅｔ、／Ｔ／Ｏｒｄｅｒｅｄ  ｓｅｔ）を送信し始める。
【００５５】
中継伝送装置１はスイッチ３からのＬＡＮ信号を受信すると、受信した信号をオートネゴシエーション監視器１１に送る。オートネゴシエーション監視器１５は送られてきたＬＡＮ信号をコード識別器１１１及びＬＡＮ信号中継器１２へと送る。
【００５６】
コード識別器１１１は受信したＬＡＮ信号のコードの解析を行い、アイドル状態を示すコードまたはデータを示すコードをある一定時間連続して受信したことを検知すると（図５のｂ７）、警報器１１３への警報の通知解除を行う。警報器１１３は警報の通知解除を受信すると、一定時間の後、監視装置５への警報を解除する（図５のｂ８）。
【００５７】
中継伝送装置２は中継伝送装置１から信号を受信すると（図５のｂ６）、受信した信号をＬＡＮ信号中継器２２にてＬＡＮ信号に戻し、オートネゴシエーション監視器２１へと送る。オートネゴシエーション監視器２１は送られてきたＬＡＮ信号をコード識別器２１１及びスイッチ４へと送る（図５のｂ９）。
【００５８】
コード識別器２１１は受信したＬＡＮ信号のコードの解析を行い、アイドル状態を示すコードまたはデータを示すコードをある一定時間以上受信したことを検知すると（図５のｂ１０）、警報器２１３への警報の通知解除を行う。警報器２１３は警報の通知解除を受信すると、一定時間の後、監視装置５への警報を解除する（図５のｂ１１）。
【００５９】
上記のように、本実施例では、中継伝送装置１，２にてスイッチ３から送信されるＬＡＮ信号のコードに基づいてその障害の回復を検出し、光ファイバ１０２の障害が回復すると、中継伝送装置１，２への警報の解除を行ことができる。
【００６０】
すなわち、本実施例では、中継伝送装置１，２にて対向するＬＡＮスイッチ（図示せず）から送信されるオートネゴシエーションのコンフィギュレーションコードを監視しているため、対向するＬＡＮスイッチのリンク状態を、常時、中継伝送装置１，２にて監視することができる。
【００６１】
また、本実施例では、中継伝送装置１，２にてスイッチ３からのオートネゴシエーションのコンフィギュレーションコード及びスイッチ４からのオートネゴシエーションのコンフィギュレーションコードの両方を監視しているので、スイッチ３，４のどちらで障害を検知してリンクダウンが起きたかを特定することができる。
【００６２】
図６は本発明の他の実施例によるオートネゴシエーション監視システムの構成を示すブロック図である。図６において、本発明の他の実施例によるオートネゴシエーション監視システムは中継伝送装置を一つにしている点が図１に示す本発明の一実施例と異なる。
【００６３】
中継伝送装置６はＬＡＮ信号増幅器６３にてスイッチ３，４から入力されたＬＡＮ信号を増幅し、スイッチ３，４間のＬＡＮ信号の伝搬可能距離を伸ばす機能を持ち、コード識別器６１，６４と、警報器６２と、ＬＡＮ信号増幅器６３とから構成されている。
【００６４】
スイッチ３から中継伝送装置６に入力されたＬＡＮ信号はコード識別器６１とＬＡＮ信号増幅器６３とに入力され、スイッチ４へと送信される。スイッチ４から中継伝送装置６に入力されたＬＡＮ信号はコード識別器６４とＬＡＮ信号増幅器６３とに入力され、スイッチ３へと送信される。
【００６５】
コード識別器６１，６４は入力されたＬＡＮ信号のコードを解析し、それがオートネゴシエーションのコンフィギュレーションコードであった場合、警報器６２へ通知を行う。警報器６２はコード識別器６１から通知を受信した場合、監視装置７へ「スイッチ３にて障害を検知してリンクダウンが発生した」いう警報を通知する。また、警報器６２はコード識別器６４から通知を受信した場合、監視装置３４へ「スイッチ２２にて障害を検知してリンクダウンが発生した」という警報を通知する。但し、警報器６２はコード識別器６１，６４の両方から通知を受けている場合には、先に受けたほうの通知を優先する。
【００６６】
また、警報器６２は監視装置７への警報通知の原因となったコード識別器からの通知が解除されると、ある一定時間後に監視装置５への警報を解除する。また、監視装置７への警報通知の原因となったコード識別器からの通知が解除されてから監視装置７への警報を解除するまでの時間、警報器６３はコード識別器から通知があったとしても監視装置７への警報の通知を行わない。
【図面の簡単な説明】
【００６７】
【図１】本発明の一実施例によるオートネゴシエーション監視システムの構成を示すブロック図である。
【図２】図１のオートネゴシエーション監視器の構成を示すブロック図である。
【図３】図１のオートネゴシエーション監視器の構成を示すブロック図である。
【図４】本発明の一実施例によるオートネゴシエーション監視システムの動作を示すシーケンスチャートである。
【図５】本発明の一実施例によるオートネゴシエーション監視システムの動作を示すシーケンスチャートである。
【図６】本発明の他の実施例によるオートネゴシエーション監視システムの構成を示すブロック図である。
【符号の説明】
【００６８】
１，２，６  中継伝送装置
３，４  スイッチ
５，７  監視装置
１１，２１  オートネゴシエーション監視器
１２，２２，６３  ＬＡＮ信号中継器
３１，４１  ポート
６１，６４，１１１，
１１２，２１１，２１２  コード識別器
６２，１１３，２１３  警報器
１０１，１０２，２０１，
２０２  光ファイバ
【図１】
2005110069.tif 000003
【図２】
2005110069.tif 000004
【図３】
2005110069.tif 000005
【図４】
2005110069.tif 000006
【図５】
2005110069.tif 000007
【図６】
2005110069.tif 000008